(57)【特許請求の範囲】
【請求項１】
２つの電極と、前記２つの電極を手又は指に保持する構造とを有するセンサであって、前記２つの電極を前記手又は指に保持する構造により前記２つの電極を前記手又は指から電気的に離間させ、かつ化粧時に前記２つの電極が同時に化粧料塗布面に接することで前記化粧料塗布面のコンダクタンスの変化を測定できるように配置されてなる化粧方法測定センサ。
【請求項２】
前記２つの電極を前記手又は指に保持する構造が、当該２つの電極を、絶縁体である担体の表面に設けたものである請求項１記載の化粧方法測定センサ。
【請求項３】
前記２つの電極を前記手又は指に保持する構造が、前記手の指に装着可能なリング形状である請求項１又は２記載の化粧方法測定センサ。
【請求項４】
前記２つの電極が、前記リング形状の周方向に延在する細幅電極である請求項３記載の化粧方法測定センサ。
【請求項５】
前記担体がシートであって、前記２つの電極を前記手又は指に保持する構造が前記シートの電極とは反対側の面に設けられた粘着剤である請求項２記載の化粧方法測定センサ。
【請求項６】
前記２つの電極が、細幅の導電体である請求項１〜５のいずれか１項記載の化粧方法測定センサ。
【請求項７】
前記化粧方法測定は、２つの電極間の化粧時のコンダクタンスの変化を測定することで、手若しくは指の動作又は手若しくは指と顔との接触状態を判別する、請求項１〜６のいずれか１項記載の化粧方法測定センサ。
【請求項８】
請求項１〜７のいずれか１項記載のセンサを用いた化粧方法の測定方法であって、前記２つの電極間に電圧を加え、化粧時のコンダクタンスの変化を測定する化粧方法の測定方法。
【請求項９】
請求項３又は４記載のセンサを用いた化粧方法の測定方法であって、化粧時のコンダクタンスの変化で、手の指の動作又は手の指と顔との接触状態を判別する化粧方法の測定方法。
【発明の詳細な説明】
【技術分野】
【０００１】
本発明は、化粧方法を測定できるセンサ及び該センサを用いた化粧方法の測定方法に関する。
【背景技術】
【０００２】
皮膚の状態、例えば皮膚角質層バリア機能を測定する手段としては、皮膚表面に電極を接触させ通電電気特性を測定し、皮膚層の電気的特性の差を基に演算して測定する装置（特許文献１）が知られている。しかし、この装置では、化粧動作等の違い等の操作については検出できない。
【０００３】
一方、指に装着して、指の作動を検出する動作検出センサにより、化粧時の指の動作を検出する手段が報告されている（特許文献２）。しかし、このセンサは指の動作を検出するだけであり、化粧料がどのように皮膚に適用されたか等については全く検出できない。
【先行技術文献】
【特許文献】
【０００４】
【特許文献１】特開２００３−３１０５６７号公報
【特許文献２】特開２０１３−３７８２号公報
【発明の概要】
【発明が解決しようとする課題】
【０００５】
顔、手、腕等を化粧するには、化粧料を手全体や指にとり、顔等に塗布したり、塗り込んだりするのが一般的である。特にスキンケアでは、メイクアップと相違し、化粧料がどの程度皮膚の目的部位に適用できたのか、どの程度の時間適用するのが有効であるのか、あるいはどの程度の時間皮膚に作用したのか等は化粧をしている本人にとっては判別し難い。
従って、手や指の動作だけでなく、化粧料の適用量、適用時間等の化粧効果を、化粧している本人が判別できる手段が望まれており、本発明は化粧をする本人が化粧方法を適確に把握できるセンサ及び化粧方法の測定方法を提供することにある。
【課題を解決するための手段】
【０００６】
そこで本発明者は、手や指に装着し、通常の化粧動作をする際の、化粧動作を把握することのできるセンサを開発すべく研究した結果、全く意外にも、２つの電極と、当該電極を体表に保持する構造とを備え、化粧時に当該２つの電極が化粧料塗布面に同時に接するように配置されたセンサを用い、２つの電極間に電圧を加え、化粧時のコンダクタンスの変化を測定すれば、化粧時の動作、化粧料の適用量等の変化とコンダクタンスの経時変化との間に一定の相関関係が得られることを見出し、本発明を完成した。
【０００７】
すなわち、本発明は、２つの電極と、前記２つの電極を体表に保持する構造とを有するセンサであって、前記２つの電極を体表に保持する構造により前記２つの電極を体表から実質的に離間させ、かつ化粧時に前記２つの電極が同時に化粧料塗布面に接するように配置されてなる化粧方法測定センサを提供するものである。
【０００８】
また、本発明は、センサを用いた化粧方法の測定方法であって、前記２つの電極間に電圧を加え、化粧時のコンダクタンスの変化を測定する化粧方法の測定方法を提供するものである。
【発明の効果】
【０００９】
２つの電極が同時に化粧料塗布面に接するため、電極間に存在する化粧料の量や乾燥状態などが２つの電極間のコンダクタンスに直に反映するので、化粧動作による化粧料の変化をより確実に検出することができる。また、好ましい態様によればセンサを体表に保持するための部材として、手指にはめることが可能なリング状に絶縁体が構成され、リング状絶縁体の外表面にリングの周方向に延在して２つの細幅電極が設けられているので、向きを気にすることなく簡単に装着でき、確実にセンシングができる。
【図面の簡単な説明】
【００１０】
【図１】細幅電極の本発明センサの例を示す。上段は素材例、中段がセンサ例であり、下段は中段のセンサ例の横断面図である。
【図２】本発明センサの形状の例を示す。
【図３】本発明センサの装着例を示す。
【図４】化粧水、乳液及びクリームを用いて化粧したときのコンダクタンスの変化を示す。
【図５】化粧水Ａおよび化粧水Ｂ使用時のコンダクタンスの変化の積分値と化粧水使用量の関係を示す。
【図６】化粧動作とコンダクタンスの変化の概念図を示す。
【図７】リング状センサの指への装着状態の例を示す。
【図８】リング状センサの指への装着状態の例を示す。
【図９】センサの回路の例を示す。
【発明を実施するための形態】
【００１１】
本発明の化粧方法測定センサは、２つの電極と、前記２つの電極を体表に保持する構造とを有し、前記２つの電極を体表に保持する構造により前記２つの電極を体表から実質的に離間させ、かつ化粧時に前記２つの電極が同時に化粧料塗布面に接するように配置されてなることを特徴とする。本発明の化粧方法測定センサは、上記構造を有することによって、化粧時に電極間に存在する化粧料によって、電極間に電位差（抵抗値）が生じる。
【００１２】
前記２つの電極は、センサが、手や指に装着して使用されることを考慮すれば、細幅の導電体からなる電極であるのが好ましい（図１）。また、その形状は、手に装着できる細幅電極であってもよいし、指に装着可能なリング形状の周方向に延在する細幅電極であってもよい（図２、図３）。それぞれの電極の形状は、円柱状でも角柱状でもよい。
【００１３】
前記２つの電極の材料は、導電体であればよく、例えば銅、鉄、金、白金、カーボン、アルミニウム、ニッケル等が挙げられる。
【００１４】
前記２つの電極を体表に保持する構造としては、当該２つの電極を絶縁体である担体の表面に設けることで達成されるのが好ましい。絶縁体である担体としては、例えば樹脂担体、紙担体、布担体等が挙げられる。当該担体は、手や指に装着しやすさ、電極の保持性から、シート状であるのが好ましい。さらに、担体は、防水処理が施されているのがより好ましい。また、シートの電極とは反対側の面には、粘着剤が設けられているのが好ましい。
【００１５】
前記２つの電極を体表に保持する構造としては、絶縁体によるリング状の構造体、例えば合成樹脂製の指輪とすることもできる。このとき、周方向に離れた２か所に前記２つの電極を配してもよいが、周方向に延在させた細幅の電極を２本、リングの幅方向すなわち、周方向とは直交する方向において離して配したほうが、化粧時に２つの電極を同時に化粧料塗布面に接するようにすることが容易となるため、好ましい。
【００１６】
前記２つの電極が体表から実質的に離間し、かつ化粧時に前記２つの電極が同時に化粧料塗布面に接するように配置されていることにより、化粧時に電極を介して得られるコンダクタンスが体表を介するものでなく、化粧料塗布面に存在して前記２つの電極に付着している化粧料を介するものであることとなる。
【００１７】
２つの電極を体表から実質的に離間させるとは、２つの電極の露出部分と電極を保持する体表との間が直接接触していないことを意味し、空隙が存在する必要はなく、樹脂、紙、布などにより電極と体表とが電気的に離間していればよい。従って、前述のように、絶縁体である担体の表面に電極が設けられていればよい。
【００１８】
前記２つの電極は、接触さえしていなければよく、化粧時に当該２つの電極が同時に化粧料塗布面に接することができる程度の離間距離で配置されていればよい。すなわち、前記２つの電極は、互いに接触せずに、同時に化粧料塗布面に接するように配置されていればよい。
【００１９】
前記２つの電極の離間距離は、細幅電極の場合、化粧動作の操作性、化粧料付着性等の点から、０．１mm以上であるのが好ましく、０．１mm〜３０mmであるのがより好ましい。なお、それぞれの電極の幅は特に限定されないが、０．１mm〜３mmが好ましい。また、それぞれの電極の長さも特に限定されないが、１０mm〜１００mmが好ましい。
【００２０】
本発明において化粧料は、極性媒体を含む化粧料であれば特に限定されないが、媒体として水を含む化粧料、特にスキンケア化粧料が好ましく、化粧水、乳液、クリーム、ゲル等の形態の化粧料がより好ましい。
【００２１】
本発明のセンサを用い、前記２つの電極間に電圧を加え、化粧時のコンダクタンスの変化を測定すれば、化粧方法が測定できる。
すなわち、例えば化粧水、乳液又はクリームを掌や手指に保持した電極間やその周辺にとり、これらを用いて化粧を行ったときのコンダクタンスの変化は、図４のように波形、面積、継続時間等が相違する。継続時間の閾値を設定すれば、各化粧料毎に好ましい使用時間が判明する。また、面積を時系列変化の積分値によって使用量が定量できる（図５）。さらに、スキンケア中の動作によって波形が変化するため波形解析により、スキンケア中の動作をリアルタイムに意識化できる。また、スキンケア中の動作によって波形が異なってくるため、スキンケア時の動作をスキンケア後に評価できる。例えば化粧料を顔に塗布する際には高周波成分が多く、手指で顔をおさえるとコンダクタンスは安定し、手指を顔から離すと急激に低下することが示されるなど、コンダクタンスの変化で動作や接触状態が判別できる（図６） 。
【００２２】
本発明のセンサにおいては、電極間の距離を調整することによってスキンケア時の製剤の残留を最適にモニターすることができる。また、リアルタイム又はスキンケア後に、スキンケアにおける無自覚な自分の動作を意識化できるユーザーが使用量やアイテムの使用時間を測るための動作がいらないため煩雑さがない。
【実施例】
【００２３】
次に実施例を挙げて本発明を更に詳細に説明する。
【００２４】
実施例１
市販されている外径０．９mm、心線０．４５mmの鉄製ワイヤー（図１上段）２本を接着剤で密着させシート状にし、上部の樹脂製被覆材を削り、鉄製心線を表出することで、図１中下段のような細幅電極を形成した。これを図７のようなリング状にして手指装着用センサを作製した。これを図９の回路図のように設置した。
このリング状センサを用いて、化粧水、乳液及びクリームを用いて肌を化粧した時のコンダクタンスの変化を示したのが図４である。
化粧水を用いて化粧した時のコンダクタンスの変化の積分値を図５に示す。
【００２５】
実施例２
市販のシール基板（サンハヤト株式会社製ＩＣＢ−０６６）を用いて、シート状の細幅電極を形成し、指に装着した例を図８に示す。
【図１】
0006513931.tif 000002
【図２】
0006513931.tif 000003
【図３】
0006513931.tif 000004
【図４】
0006513931.tif 000005
【図５】
0006513931.tif 000006
【図６】
0006513931.tif 000007
【図７】
0006513931.tif 000008
【図８】
0006513931.tif 000009
【図９】
0006513931.tif 000010